(57)【要約】【課題】本発明の一目的は、低周波数の駆動時に発生する輝度降下を補償することができる表示装置を提供することにある。【解決手段】表示装置は、画素を備える表示パネル、表示されるフレームの間の時間間隔（time interval）を示す表示周期に基づいて電源制御信号を生成するタイミング制御部、及び前記画素を駆動させる電源電圧を生成し、かつ前記電源制御信号に基づいて前記表示周期の間の前記電源電圧を変化させることができる給電部を含むことができる。【選択図】図１
2017083813.tif 000002
【特許請求の範囲】
【請求項１】
走査線、データ線、及び前記走査線と前記データ線との交差領域に配置される画素を備える表示パネルと、
表示されるフレームの間の時間間隔（time interval）を示す表示周期に基づいて走査駆動制御信号、データ駆動制御信号、及び電源制御信号を各々生成するタイミング制御部と、
前記走査駆動制御信号に基づいて走査信号を前記走査線を通じて前記画素に提供する走査駆動部と、
前記データ駆動制御信号に基づいてデータ信号を前記データ線を通じて前記画素に提供するデータ駆動部と、
前記画素を駆動させる電源電圧を生成し、かつ前記電源制御信号に基づいて前記表示周期の間前記電源電圧を変化させることができる給電部と、
を含むことを特徴とする、表示装置。
【請求項２】
前記タイミング制御部は、入力画像データに基づいて複数の表示周期のうちから１つを選択し、前記複数の表示周期のうちから選択された１つを前記表示周期として決定することを特徴とする、請求項１に記載の表示装置。
【請求項３】
前記タイミング制御部は、前記入力画像データに基づいて入力画像が動画像かまたは停止画像かを判断し、前記入力画像が動画像の場合、前記複数の表示周期のうちから第１表示周期を選択し、前記入力画像が停止画像の場合、前記複数の表示周期のうちから第２表示周期を選択し、
前記入力画像データのオンピクセル比を算出し、前記オンピクセル比が予め設定された値以内であれば、入力画像が特殊画像であると判断し、前記複数の表示周期のうちから第２表示周期を選択し、
前記第２表示周期は前記第１表示周期より大きいことを特徴とする、請求項２に記載の表示装置。
【請求項４】
前記タイミング制御部は、前記表示周期が複数のフレーム時間を含む場合、前記複数のフレーム時間のうち、１フレーム時間の間論理ローレベルを有し、前記複数のフレーム時間のうち、残りのフレーム時間の間論理ハイレベルを有するマスク信号を生成し、
前記走査駆動部は前記マスク信号に基づいて前記１フレーム時間の間前記走査信号を前記  画素に提供し、前記残りのフレーム時間の間前記走査信号の供給を中断し、
前記フレーム時間は１つのフレームを表示する所要時間（required time）であることを特徴とする、請求項３に記載の表示装置。
【請求項５】
前記タイミング制御部は、予め設定された輝度プロファイルを用いて前記電源制御信号を生成し、
前記給電部は前記電源制御信号に基づいて前記電源電圧を段階的に変化させることができ、
前記予め設定された輝度プロファイルは前記表示周期の間の時間経過に従う輝度の変化情報を含むことを特徴とする、請求項１に記載の表示装置。
【請求項６】
前記電源電圧に従って前記給電部から前記表示パネルに供給される総電流を測定する電流測定部をさらに含み、
前記タイミング制御部は前記表示周期の間の時間経過に従う前記総電流の減少割合を算出し、前記総電流の前記減少割合に基づいて前記電源電圧を増加させる電源制御信号を生成することを特徴とする、請求項１に記載の表示装置。
【請求項７】
前記画素のオフデューティー比を制御する発光制御信号を生成し、かつ前記表示周期に基づいて前記オフデューティー比を変化させることができる発光駆動部をさらに含み、
前記発光駆動部は、入力画像データに基づいて前記オフデューティー比を算出し、前記表示周期の間オフデューティー比を徐々に減少させ、
前記オフデューティー比は前記画素の発光時間対比非発光時間の割合を示すことを特徴とする、請求項１に記載の表示装置。
【請求項８】
走査線、データ線、発光制御線及び前記走査線、前記データ線及び前記発光制御線の交差領域に配置される画素を備える表示パネルと、
走査信号を前記走査線を通じて前記画素に提供する走査駆動部と、
データ信号を前記データ線を通じて前記画素に提供するデータ駆動部と、
表示されるフレームの間の時間間隔（time interval）を示す表示周期を決定するタイミング制御部と、
前記画素の発光時間対比非発光時間の割合を示すオフデューティー比を制御する発光制御信号を前記発光制御線を通じて前記画素に提供し、かつ前記表示周期に基づいて前記オフデューティー比を変化させることができる発光駆動部と、
を含むことを特徴とする、表示装置。
【請求項９】
走査線、データ線、電源線及び前記走査線、前記データ線及び電源線の交差領域に配置される画素を備える表示パネルと、
フレームの間の時間間隔（time interval）を示す表示周期に基づいて走査駆動制御信号、データ駆動制御信号、第２電源制御信号、及びスイッチ制御信号を生成するタイミング制御部と、
前記走査駆動制御信号に基づいて走査信号を前記走査線を通じて前記画素に提供し、前記データ駆動制御信号に基づいてデータ信号を前記データ線を通じて前記画素に提供する駆動回路部と、
前記画素を駆動させる電源電圧を生成し、前記電源線を通じて画素に電源電圧を供給する給電部とを含み、
前記駆動回路部は、
前記第２電源制御信号に応答して前記表示周期の間の時間経過に従って可変である補助電源電圧を生成するチャージポンプユニットと、
前記スイッチ制御信号に基づいて前記給電部及び前記チャージポンプユニットのうちの１つを前記電源線に連結する電源選択ユニットと、
を含むことを特徴とする、表示装置。
【請求項１０】
前記電源選択ユニットは、
前記電源線と前記給電部を連結する第１スイッチと、
前記電源線と前記チャージポンプユニットに連結する第２スイッチとを含み、
前記タイミング制御部は、入力画像データに基づいて入力画像が停止画像か否かを判断し、前記入力画像が停止画像の場合、前記第１スイッチをターンオフさせ、前記第２スイッチをターンオンさせる第１スイッチ制御信号を生成することを特徴とする、請求項９に記載の表示装置。
【発明の詳細な説明】
【技術分野】
【０００１】
本発明は表示装置に関し、より詳しくは低周波数で駆動できる表示装置に関する。
【背景技術】
【０００２】
表示装置は、入力画像データに基づいて画像を表示することができる。最近、表示装置が同一な画像（例えば、停止画像）を持続的に表示する場合、表示装置の消費電力を減少させるために表示装置を低周波数で駆動する方案が提案されている。しかしながら、表示装置が低周波数で駆動する場合、遅い画面再生速度に従って走査動作が視認されるか、または画面再生時間の間発生する輝度の降下が視認できる。
【発明の概要】
【発明が解決しようとする課題】
【０００３】
本発明の一目的は、低周波数の駆動時に発生する輝度降下を補償することができる表示装置を提供することにある。
【０００４】
本発明の一目的は、低周波数の駆動時の消費電力をより減少させることができる表示装置を提供することにある。
【課題を解決するための手段】
【０００５】
本発明の一目的を達成するために、本発明の実施形態に係る表示装置は、走査線、データ線、及び前記データ線と前記データ線の交差領域に配置される画素を備える表示パネル、表示されるフレームの間の時間間隔（time interval）を示す表示周期に基づいて走査駆動制御信号、データ駆動制御信号、及び電源制御信号を各々生成するタイミング制御部、前記走査駆動制御信号に基づいて走査信号を前記走査線を通じて前記画素に提供する走査駆動部、前記データ駆動制御信号に基づいてデータ信号を前記データ線を通じて前記画素に提供するデータ駆動部、及び前記画素を駆動させる電源電圧を生成し、かつ前記電源制御信号に基づいて前記表示周期の間前記電源電圧を変化させることができる給電部を含むことができる。
【０００６】
一実施形態によれば、前記タイミング制御部は、入力画像データに基づいて複数の表示周期のうちから１つを選択し、前記複数の表示周期のうちから選択された１つを前記表示周期と決定することができる。
【０００７】
一実施形態によれば、前記複数の表示周期は、表示周期別画像に対するユーザの敏感度に基づいて設定できる。
【０００８】
一実施形態によれば、前記タイミング制御部は、前記入力画像データに基づいて入力画像が動画像かまたは停止画像かを判断し、前記入力画像が動画像の場合、前記複数の表示周期のうちから第１表示周期を選択し、前記入力画像が停止画像の場合、前記複数の表示周期のうちから第２表示周期を選択し、前記第２表示周期は前記第１表示周期より大きいことがある。
【０００９】
一実施形態によれば、前記タイミング制御部は、入力画像データのオンピクセル比を算出し、オンピクセル比が予め設定された値以内であれば、入力画像が特殊画像であると判断し、前記複数の表示周期のうちから第２表示周期を選択することができる。
【００１０】
一実施形態によれば、前記タイミング制御部は、前記表示周期が複数のフレーム時間を含む場合、前記複数のフレーム時間のうち、１フレーム時間の間論理ローレベルを有し、前記複数のフレーム時間のうち、残りのフレーム時間の間論理ハイレベルを有するマスク信号を生成し、前記フレーム時間は１つのフレームを表示する所要時間（required time）でありうる。
【００１１】
一実施形態によれば、前記走査駆動部は前記マスク信号に基づいて前記１フレーム時間の間前記走査信号を前記画素に提供し、前記残りのフレーム時間の間前記走査信号の供給を中断することができる。
【００１２】
一実施形態によれば、前記タイミング制御部は、予め設定された輝度プロファイルを用いて前記電源制御信号を生成し、前記予め設定された輝度プロファイルは前記表示周期の間の時間経過に従う輝度の変化情報を含むことができる。
【００１３】
一実施形態によれば、前記給電部は前記電源制御信号に基づいて前記電源電圧を段階的に変化させることができる。
【００１４】
一実施形態によれば、前記表示装置は、前記駆動電圧に従って前記給電部から前記表示パネルに供給される総電流を測定する電流測定部をさらに含み、前記タイミング制御部は前記総電流の変化に基づいて前記電源制御信号を生成することができる。
【００１５】
一実施形態によれば、前記タイミング制御部は、前記表示周期の間の時間経過に従う総電流の減少割合を算出し、前記総電流の減少割合に基づいて前記電源電圧を増加させる電源制御信号を生成することができる。
【００１６】
一実施形態によれば、前記電源電圧は高電源電圧及び低電源電圧を含み、前記給電部は前記電源制御信号に基づいて前記表示周期の間前記低電源電圧の電圧レベルを徐々に低めることができる。
【００１７】
一実施形態によれば、前記電源電圧は高電源電圧及び低電源電圧を含み、前記給電部は前記電源制御信号に基づいて前記表示周期の間高電源電圧の電圧レベルを徐々に高めることができる。
【００１８】
一実施形態によれば、前記画素はサブ画素を含み、前記給電部は前記サブ画素に各々供給される電源電圧を生成し、前記タイミング制御部は前記電源電圧のそれぞれの輝度プロファイルに基づいて複数のサブ電源制御信号を生成することができる。
【００１９】
一実施形態によれば、前記表示装置は、前記画素のオフデューティー比を制御する発光制御信号を生成し、かつ前記表示周期に基づいて前記オフデューティー比を変化させることができる発光駆動部をさらに含み、前記オフデューティー比は前記画素の発光時間対比非発光時間の割合を示すことができる。
【００２０】
一実施形態によれば、前記発光駆動部は、入力画像データに基づいて前記オフデューティー比を算出し、前記表示周期の間オフデューティー比を徐々に減少させることができる。
【００２１】
本発明の一目的を達成するために、本発明の実施形態に係る表示装置は、走査線、データ線、発光制御線及び前記走査線、前記データ線及び前記発光制御線の交差領域に配置される画素を備える表示パネル、走査信号を前記走査線を通じて前記画素に提供する走査駆動部、データ信号を前記データ線を通じて前記画素に提供するデータ駆動部、表示されるフレームの間の時間間隔（time interval）を示す表示周期を決定するタイミング制御部、及び前記画素の発光時間対比非発光時間の割合を示すオフデューティー比を制御する発光制御信号を前記発光制御線を通じて前記画素に提供し、かつ前記表示周期に基づいて前記オフデューティー比を変化させることができる発光駆動部を含むことができる。
【００２２】
本発明の一目的を達成するために、本発明の実施形態に係る表示装置は、走査線、データ線、電源線及び前記走査線、前記データ線及び電源線の交差領域に配置される画素を備える表示パネル、フレームの間の時間間隔（time interval）を示す表示周期に基づいて走査駆動制御信号、データ駆動制御信号、第２電源制御信号及びスイッチ制御信号を生成するタイミング制御部、前記走査駆動制御信号に基づいて走査信号を前記走査線を通じて前記画素に提供し、前記データ駆動制御信号に基づいてデータ信号を前記データ線を通じて前記画素に提供する駆動回路部、及び前記画素を駆動させる電源電圧を生成し、前記電源線を通じて画素に電源電圧を供給する給電部を含み、前記駆動回路部は、前記第２電源制御信号に応答して前記表示周期の間の時間経過に従って可変である補助電源電圧を生成するチャージポンプユニット、及び前記スイッチ制御信号に応答して前記給電部及び前記チャージポンプユニットのうちの１つを前記電源線に連結する電源選択ユニットを含むことができる。
【００２３】
一実施形態によれば、前記電源選択ユニットは、前記電源線と前記給電部を連結する第１スイッチ、及び前記電源線と前記チャージポンプユニットに連結する第２スイッチを含むことができる。
【００２４】
一実施形態によれば、前記タイミング制御部は、入力画像データに基づいて入力画像が停止画像か否かを判断し、前記画像が停止画像の場合、前記第１スイッチをターンオフさせ、前記第２スイッチをターンオンさせる第１スイッチ制御信号を生成することができる。
【発明の効果】
【００２５】
本発明の実施形態に係る表示装置は、入力画像データに基づいて表示周期を決定し、表示周期に基づいて表示周期の間電源電圧及び画素のオフデューティー比を変化させることができるので、表示周期の間降下する輝度を補償することができる。また、前記表示装置は、表示パネルの供給される総電流を測定し、測定された総電流に基づいて電源電圧またはオフデューティー比を変化させることができるので、輝度補償の正確度を向上させることができる。
【００２６】
本発明の実施形態に係る表示装置は、低周波駆動時、給電部で生成された電源電圧の代わりに駆動回路部で生成された補助電源電圧を表示パネルに供給及び変化させることができるので、電圧の可変制御が容易であるだけでなく、消比電力をより低減することができる。
【００２７】
但し、本発明の効果は前記の効果に限定されるものでなく、本発明の思想及び領域から逸脱しない範囲で多様に拡張できる。
【図面の簡単な説明】
【００２８】
【図１】本発明の実施形態に係る表示装置を示すブロック図である。
【図２ａ】図１の表示装置に含まれた画素の一例を示す回路図である。
【図２ｂ】図２ａの画素のヒステリシス曲線の一例を示す図である。
【図３ａ】図１の表示装置の第１駆動モードの一例を説明する図である。
【図３ｂ】図１の表示装置の第２駆動モードの比較例を説明する図である。
【図３ｃ】図１の表示装置の駆動周波数−対比敏感度曲線の一例を示す図である。
【図４】図１の表示装置に含まれたタイミング制御部の一例を示すブロック図である。
【図５】図１の表示装置で生成される信号の一例を示す波形図である。
【図６ａ】図４のタイミング制御部で使用する輝度プロファイルの一例を示す図である。
【図６ｂ】図４のタイミング制御部で生成される電源電圧制御信号の一例を示す図である。
【図７】図１の表示装置に含まれた給電部で生成される電源電圧の一例を示す図である。
【図８】本発明の実施形態に係る表示装置を示すブロック図である。
【図９】図８の表示装置に含まれた駆動回路部の一例を示す図である。
【発明を実施するための形態】
【００２９】
以下、添付した図面を参照して、本発明の実施形態をより詳細に説明する。図面上の同一な構成要素に対しては同一または類似の参照符号を使用する。
【００３０】
図１は、本発明の実施形態に係る表示装置を示すブロック図である。
【００３１】
図１を参照すると、表示装置１００は、表示パネル１１０、走査駆動部１２０、データ駆動部１３０、発光駆動部１４０、タイミング制御部１５０、及び 給電部(または、電源供給部)１６０を含むことができる。表示装置１００は、入力画像データに基づいて画像を表示することができる。例えば、表示装置１００は有機発光表示装置でありうる。
【００３２】
表示パネル１１０は、走査線（Ｓ１からＳｎ）、データ線（Ｄ１からＤｍ）、発光制御線（Ｅ１からＥｎ）、及び画素１１１を含むことができる（但し、ｎとｍは２以上の整数）。画素１１１は走査線（Ｓ１からＳｎ）、データ線（Ｄ１からＤｍ）、及び発光制御線（Ｅ１からＥｎ）の交差領域に配置できる。
【００３３】
画素１１１の各々は走査信号に応答してデータ信号を格納し、格納されたデータ信号に基づいて発光することができる。画素１１１のヒステリシス特性（または、画素１１１に含まれた駆動トランジスタのヒステリシス特性）に従って、画素１１１に流れる駆動電流は時間経過に従って減少できる。この場合、駆動電流の減少によって表示パネル１１０の輝度が減少できる。画素１１１の構成に対しては図２ａを参照して詳細に説明する。
【００３４】
走査駆動部１２０は走査駆動制御信号に基づいて走査信号を生成し、走査信号を走査線（Ｓ１からＳｎ）を通じて画素１１１に提供することができる。ここで、走査駆動制御信号はタイミング制御部１５０から走査駆動部１２０に提供されることができ、表示周期（または、表示装置１００の駆動周波数）に基づいて設定できる。ここで、表示周期は表示パネル１１０を通じて表示されるフレームの間の時間間隔（time interval）であり、例えば、表示周期は１秒または１／６０秒などでありうる。駆動周波数は特定時間の間表示されるフレーム数であり、表示周期の逆数でありうる。
【００３５】
走査駆動制御信号はスタートパルス及びクロック信号を含み、走査駆動部１２０はスタートパルス及びクロック信号に対応して徐々に走査信号を生成するシフトレジスタを含んで構成できる。一実施形態において、走査駆動部１２０は予め設定された駆動周波数に対応して動作し、かつマスク信号に基づいて特定周期を有して走査信号を生成することができる。例えば、走査駆動部１２０は６０Ｈｚの駆動周波数（または、１／６０秒の表示周期）に対応して動作し、かつ１／６０秒の間論理ローレベルを有し、５９／６０秒の間論理ハイレベルを有するマスク信号に応答して、１／６０秒の間のみに走査信号を生成及び出力することができる。この場合、走査駆動部１２０は１Ｈｚの駆動周波数（または、１秒の表示周期）を有して動作することと類似している。
【００３６】
データ駆動部１３０はデータ駆動制御信号及び入力画像データに基づいてデータ信号（または、データ電圧）を生成し、データ信号をデータ線（Ｄ１からＤｍ）を通じて画素１１１に提供することができる。ここで、データ駆動制御信号はタイミング制御部１５０からデータ駆動部１３０に提供されることができ、表示周期（または、表示装置１００の駆動周波数）に基づいて設定できる。データ駆動部１３０はデータ駆動制御信号に従って生成されたデータ信号を表示パネル１１０に提供することができる。
【００３７】
一実施形態において、データ駆動部１３０は予め設定された駆動周波数に対応して動作し、かつマスク信号に基づいて特定周期を有してデータ信号を生成することができる。
【００３８】
発光駆動部１４０は、発光駆動制御信号に基づいて発光制御信号を生成することができる。ここで、発光駆動制御信号はタイミング制御部１５０から発光駆動部１４０に提供されることができ、表示周期（または、表示装置１００の駆動周波数）に基づいて設定できる。発光駆動部１４０は、発光制御信号を用いて画素１１１のオフデューティー比（offdutyratio）を制御することができる。ここで、オフデューティー比は画素１１１の発光時間対比非発光時間の割合でありうる。例えば、画素１１１の発光時間（即ち、発光できる最大時間）が８ｍｓ、非発光時間が４ｍｓの場合、オフデューティー比は５０％でありうる。
【００３９】
実施形態において、発光駆動部１４０は発光駆動制御信号（または、表示周期）に基づいてオフデューティー比を変化させることができる。オフデューティー比は入力画像データのオンピクセル比（on-pixelratio：ＯＰＲ）、階調などによって予め設定できる。ここで、オンピクセル比は全体画素の個数対比オン状態に活性化された画素の個数の比でありうる。例えば、発光駆動部１４０は表示周期に基づいて表示周期の間予め設定されたオフデューティー比を段階的に変化させることができる。例えば、特定階調に対応するオフデューティー比が５０％の場合、発光駆動部１４０は１秒の表示周期の間、５０％に予め設定されたオフデューティー比を４０％、３０％、２０％に段階的に変化させることができる。
【００４０】
タイミング制御部１５０は、走査駆動部１２０、データ駆動部１３０、発光駆動部１４０、及び給電部１６０の各々の動作を制御することができる。タイミング制御部１５０は表示周期に基づいて、走査駆動制御信号、データ駆動制御信号、及び電源制御信号を各々生成することができる。
【００４１】
実施形態において、タイミング制御部１５０は入力画像データに基づいて表示周期を決定することができる。例えば、タイミング制御部１５０は入力画像データに基づいて複数の表示周期のうちから１つを選択し、複数の表示周期のうちから選択された１つを表示周期として決定することができる。例えば、タイミング制御部１５０は入力画像データを分析して入力画像が動画像か、停止画像か、または特殊画像（例えば、時計画像）かを判断し、入力画像が動画像の場合、複数の表示周期のうちから第１表示周期（例えば、１／６０秒）を選択し、入力画像が停止画像の場合、複数の表示周期のうちから第２表示周期（例えば、３秒）を選択し、入力画像が特殊画像の場合、複数の表示周期のうちから第３表示周期（例えば、１秒）を選択することができる。
【００４２】
即ち、タイミング制御部１５０は入力画像データに基づいて表示装置１００の動作モードを決定することができる。ここで、動作モードは通常的な第１表示周期（例えば、１／６０秒、または１／１２０秒）を有する第１動作モードと、第１表示周期より大きい第２表示周期（例えば、１秒、０．５秒）を有する第２動作モードを含むことができる。タイミング制御部１５０は複数の表示周期に各々対応する複数の動作モードを含むことができる。
【００４３】
例えば、タイミング制御部１５０は入力画像データに含まれた複数のフレームの階調変化を分析し、階調変化が予め設定された値以下の場合、入力画像が停止画像であると判断し、第２動作モード（または、第２表示周期）を選択することができる。例えば、タイミング制御部１５０は入力画像データのオンピクセル比を算出し、オンピクセル比が特定値以下の場合、入力画像が停止画像（または、特殊画像）であると判断し、第２動作モード（または、第２表示周期）を選択することができる。
【００４４】
実施形態において、表示周期が複数のフレーム時間を含む場合、タイミング制御部１５０は複数のフレーム時間のうち、１フレーム時間の間論理ローレベルを有し、複数のフレーム時間のうち、残りのフレーム時間の間論理ハイレベルを有するマスク信号を生成することができる。ここで、フレーム時間は１つのフレームを表示することにかかる時間（即ち、所要時間）でありうる。一方、タイミング制御部１５０はマスク信号に基づいて、走査駆動制御信号、データ駆動制御信号を生成することができる。この場合、走査駆動部１２０及びデータ駆動部１３０は前記表示周期に対応して駆動できる。
【００４５】
給電部１６０は電源電圧を生成し、電源制御信号に基づいて表示周期の間電源電圧を変化させることができる。ここで、電源電圧は高電源電圧（ＥＬＶＤＤ）及び低電源電圧（ＥＬＶＳＳ）を含み、高電源電圧（ＥＬＶＤＤ）は低電源電圧（ＥＬＶＳＳ）より高い電圧レベルを有することができる。例えば、給電部１６０は第１電源制御信号に基づいて表示周期の間低電源電圧（ＥＬＶＳＳ）の電圧レベルを時間経過に従って徐々に低めることができる。例えば、給電部１６０は第２電源制御信号に基づいて表示周期の間高電源電圧（ＥＬＶＤＤ）の電圧レベルを時間経過に従って徐々に高めることができる。
【００４６】
実施形態において、表示装置１００は電流測定部１７０をさらに含むことができる。電流測定部１７０は給電部１６０から表示パネル１１０に供給される総電流を測定することができる。この場合、タイミング制御部１５０は総電流の変化に基づいて発光制御信号及び電源制御信号のうち、少なくとも１つを生成することができる。例えば、表示装置１００は特定時間の間総電流を測定し、特定時間の間（例えば、表示周期の間）の時間経過に従う総電流の減少割合を算出し、算出された総電流の減少割合を格納することができる。この場合、タイミング制御部１５０は総電流の減少割合に基づいて発光制御信号及び電源制御信号のうち、少なくとも１つを生成することができる。
【００４７】
画素１１１のヒステリシス特性（または、画素１１１に含まれた駆動トランジスタのヒステリシス特性）に従って、画素１１１に流れる駆動電流は時間経過に従って減少し、駆動電流の減少によって表示パネル１１０の輝度が減少できる。
【００４８】
本発明の実施形態に係る表示装置１００は、電源電圧を変化させることができて画素１１１の駆動電流の減少を補償し、表示周期の間降下する輝度を補償することができる。また、表示装置１００は表示周期の間画素１１１のオフデューティー比（または、発光時間）を変化させることができることによって、表示周期の間降下する輝度を補償することができる。したがって、表示装置１００は周期的に降下及び回復（または、更新、復旧）される輝度によるフリッカー現象を和らげることができる。
【００４９】
図２ａは、図１の表示装置に含まれた画素の一例を示す回路図である。
【００５０】
図２ａを参照すると、画素１１１は第１から第７トランジスタ（ＴＲ１からＴＲ７）、第１キャパシタ、及び発光素子を含むことができる。
【００５１】
第１トランジスタ（ＴＲ１）（または、駆動トランジスタ）は、高電源電圧（ＥＬＶＤＤ）と発光素子（ＥＬ）との間に連結され、第１キャパシタ（Ｃ１）に格納されたデータ信号（ＤＡＴＡ）（または、データ電圧）に基づいて駆動電流（Ｉｄ）を発光素子（ＥＬ）に転送することができる。第２トランジスタ（ＴＲ２）及び第３トランジスタ（ＴＲ３）は、第２ゲート信号（ＧＷ）に基づいてデータ信号（ＤＡＴＡ）を第１キャパシタ（Ｃ１）に転送することができる。ここで、第２ゲート信号（ＧＷ）は走査信号でありうる。第１キャパシタ（Ｃ１）は、データ信号（ＤＡＴＡ）を格納することができる。第４トランジスタ（ＴＲ４）は、第１ゲート信号（ＧＩ）に基づいて第１キャパシタ（Ｃ１）に初期化電圧（ＶＩＮＴ）を転送することができる。この場合、第１キャパシタ（Ｃ１）は初期化電圧（ＶＩＮＴ）に初期化できる。第５トランジスタ（ＴＲ５）は、高電源電圧（ＥＬＶＤＤ）及び第１トランジスタ（ＴＲ１）の間に連結され、第６トランジスタ（ＴＲ６）は、第１トランジスタ（ＴＲ１）及び発光素子（ＥＬ）の間に連結できる。第５トランジスタ（ＴＲ５）及び第６トランジスタ（ＴＲ６）は、発光制御信号（ＥＭ［ｎ］）に基づいて高電源電圧（ＥＬＶＤＤ）及び発光素子（ＥＬ）の間に電流移動経路を形成することができる。発光素子（ＥＬ）は、第１トランジスタ（ＴＲ１）（または、第６トランジスタ（ＴＲ６））及び低電源電圧（ＥＬＶＳＳ）の間に連結され、駆動電流（Ｉｄ）に基づいて発光することができる。例えば、発光素子（ＥＬ）は有機発光ダイオードでありうる。第７トランジスタ（ＴＲ７）は、第２ゲート信号（ＧＷ）に基づいて初期化電圧（ＶＩＮＴ）を発光素子（ＥＬ）に転送することができる。この場合、発光素子（ＥＬ）のしきい電圧が補償できる。
【００５２】
即ち、画素１１１は第１ゲート信号（ＧＩ）に基づいて第１キャパシタ（Ｃ１）を初期化し、第２ゲート信号（ＧＷ）に基づいてデータ信号（ＤＡＴＡ）を第１キャパシタ（Ｃ１）に格納し、発光制御信号（ＥＭ［ｎ］）に基づいてデータ信号（ＤＡＴＡ）に対応する輝度を有して発光することができる。
【００５３】
但し、画素１１１に流れる駆動電流（Ｉｄ）は画素１１１のヒステリシス曲線に従って時間が経つほど減少し、表示装置１００の輝度は駆動電流（Ｉｄ）の減少によって降下できる。
【００５４】
図２ａに図示された画素１１１は例示的なものであって、画素１１１がこれに限定されるものではない。例えば、画素１１１はｐ型回路でないｎ型回路を有することができる。
【００５５】
図２ｂは、図２ａの画素のヒステリシス曲線の一例を示す図である。
【００５６】
図２ａ及び図２ｂを参照すると、第１トランジスタ（ＴＲ１）にデータ信号（ＤＡＴＡ）が印加された場合、第１トランジスタ（ＴＲ１）を通じて流れる駆動電流（Ｉｄ）は第１曲線２２１上で表れることができる。例えば、駆動電流（Ｉｄ）は第１電流量（Ｉｄ１）を有することができる。しかしながら、第１トランジスタ（ＴＲ１）にデータ信号（ＤＡＴＡ）が持続的に印加される場合、第１トランジスタ（ＴＲ１）にホール捕獲（holetrapping）が発生し、ホール捕獲によって、駆動電流（Ｉｄ）は第２曲線２２２上で表れることができる。例えば、駆動電流（Ｉｄ）は第２電流量（Ｉｄ２）を有することができる。即ち、第１トランジスタ（ＴＲ１）にデータ信号（ＤＡＴＡ）が持続的に印加される場合、第１トランジスタ（ＴＲ１）のしきい電圧が負の方向に移動し、駆動電流（Ｉｄ）の大きさが減少することがある。
【００５７】
同一なデータ信号（ＤＡＴＡ）が画素１１１に印加されても、画素１１１のヒステリシス特性に従って、時間に従う輝度降下が発生することがある。
【００５８】
図３ａは、図１の表示装置の第１駆動モードを説明する図である。
【００５９】
図１及び図３ａを参照すると、表示装置１００は第１モードまたは第２モードを含むことができる。第１モードで、表示装置１００は第１表示周期（Ｔ１）（例えば、１／６０秒）を有して動作することができる。第２モードで、表示装置１００は第２表示周期（Ｔ２）（例えば、１秒）を有して動作することができる。
【００６０】
図３ａに図示された第１波形図３１１は、第１モードで画素１１１に提供される走査信号を示すことができる。走査信号は第１時間（Ｔ１１）の間論理ハイレベルを有し、第２時間（Ｔ１２）の間論理ローレベルを有することができる。ここで、第１時間（Ｔ１１）及び第２時間（Ｔ１２）は第１周期（Ｔ１）に含まれ、第１時間（Ｔ１１）は第２時間（Ｔ１２）と重畳しないことがある。
【００６１】
この場合、画素１１１は第１時間（Ｔ１１）の間データ信号を受信し、第２時間（Ｔ１２）でデータ信号に基づいて発光することができる。例えば、表示装置１００は１／６０秒である第１表示周期（Ｔ１）に基づいて１秒の間６０個のフレーム（Ｆ１からＦｋ）を表示することができる。
【００６２】
表示装置１００の第１輝度３２１は、第１時間（Ｔ１１）の間目標輝度に上昇（または、リフレッシュ）し、第２時間（Ｔ１２）の間輝度降下を有することができる。ここで、輝度降下割合（即ち、目標輝度対比輝度降下の割合）は２％以内であり、輝度降下はユーザに視認されないことがある。
【００６３】
図３ｂは、図１の表示装置の第２駆動モードの比較例を説明する図である。
【００６４】
図３ｂに図示された第２波形図３１２は、第２モードで画素１１１に提供される走査信号を示すことができる。走査信号は第１時間（Ｔ１１）の間論理ハイレベルを有し、第３時間（Ｔ１３）の間論理ローレベルを有することができる。ここで、第１時間（Ｔ１１）及び第３時間（Ｔ１３）は第２周期（Ｔ２）に含まれ、第１時間（Ｔ１１）は第３時間（Ｔ１３）と重畳しないことがある。
【００６５】
この場合、画素１１１は第１時間（Ｔ１１）の間データ信号を受信し、第３時間（Ｔ１３）でデータ信号に基づいて発光することができる。例えば、表示装置１００は１秒である第２表示周期（Ｔ２）に基づいて１秒の間１つのフレーム（例えば、第１フレーム（Ｆ１））を表示することができる。
【００６６】
第１時間（Ｔ１１）が長くなるほど、走査信号が表示パネル１１０に供給されることが視認できるので、表示装置１００は図３ａに図示された第１フレームに対応する走査信号のみを維持し、残りの走査信号（即ち、残りのフレームに対応する走査信号）を遮断（または、ブロッキング）することで、図３ｂに図示された走査信号を生成することができる。例えば、表示装置１００は先の図１を参照して説明したマスク信号に基づいて前記走査信号を生成することができる。
【００６７】
一方、表示装置１００の第２輝度３２２は第１時間（Ｔ１１）の間目標輝度に上昇（または、リフレッシュ）され、第３時間（Ｔ１３）の間輝度降下を有することができる。第３時間（Ｔ１３）が長くなるほど、輝度降下割合は増加することができる。例えば、第２時点での輝度降下割合は２０％から６０％の範囲内でありうる。輝度降下割合が増加するにつれて輝度変化が視認されることができ、また、周期的な輝度の降下及び回復によりフリッカー現象が視認できる。即ち、表示装置１００が第２モードで駆動される場合、輝度降下及びフリッカー現象が視認できる。
【００６８】
一方、本発明の実施形態に係る表示装置１００は、電源電圧及び画素１１１のオフデューティー比（または、発光時間）のうち、少なくとも１つを変化させることができることによって、表示周期の間降下する輝度を補償することができる。したがって、表示装置１００は周期的に降下及び回復（または、更新、復旧）される輝度によるフリッカー現象を和らげることができる。
【００６９】
図３ｃは、図１の表示装置の駆動周波数−対比敏感度曲線の一例を示す図である。
【００７０】
図３ｃを参照すると、駆動周波数の変化に従う刺激（即ち、ユーザの刺激、またはユーザの画像に対する敏感度）の変化が図示されている。表示装置１００の駆動周波数が６０Ｈｚの場合、刺激は１０以下でありうる。表示装置１００の駆動周波数の大きさが小さくなるほど（または、表示装置１００の表示周期が大きくなるほど）、刺激は大きくなることがある。表示装置１００の駆動周波数が１０Ｈｚから２０Ｈｚの範囲以内の場合、刺激は最も大きく表れることができる。１０Ｈｚ以下の範囲では、駆動周波数の大きさが小さくなるほど、刺激はむしろ小さくなることがある。
【００７１】
本発明の実施形態に係る表示装置１００は、駆動周波数−対比敏感度曲線（即ち、表示周期別画像に対するユーザの敏感度）に基づいて複数の表示周期を設定することができる。例えば、表示装置１００は６０Ｈｚの周波数に対応する第１周期、１Ｈｚの周波数に対応する第２周期、２０Ｈｚの周波数に対応する第３周期を各々設定し、設定された第１から第３周期を格納することができる。例えば、第１周期は動画像を表示することに用いられ、第２周期は停止画像を表示することに用いられ、第３周期は特殊画像を表示することに用いられることができる。
【００７２】
前述したように、表示装置１００は第１表示周期を有する第１駆動モード及び第２表示周期を有する第２駆動モードで駆動できる。また、第１表示周期及び第２表示周期は駆動周波数−対比敏感度曲線に基づいて設定できる。
【００７３】
図４は、図１の表示装置に含まれたタイミング制御部の一例を示すブロック図である。
【００７４】
図１及び図４を参照すると、タイミング制御部１５０は、画像分析ユニット４１０、表示周期決定ユニット４２０、及び制御信号生成ユニット４３０を含むことができる。
【００７５】
画像分析ユニット４１０は、入力画像データ（IMAGE DATA）を分析して、入力画像の種類を決定することができる。一実施形態において、画像分析ユニット４１０は特定時間の間の入力画像データ（IMAGE DATA）の階調値の変化を算出することができる。ここで、特定時間は過去特定時点から現在時点までの時間、現在時点から未来特定時点までの時間、または現在時点を含む時間でありうる。例えば、画像分析ユニット４１０は特定時間の間の入力画像データの総階調変化値を算出し、総階調変化値が特定値以下の場合、入力画像が停止画像であると判断することができる。この場合、総階調変化値が特定値以下の場合、画像分析ユニット４１０は入力画像が動画像であると判断することができる。一実施形態において、画像分析ユニット４１０は入力画像データ（IMAGE DATA）のオンピクセル比を算出し、オンピクセル比が特定値以下の場合、入力画像が特殊画像（または、停止画像）であると判断することができる。
【００７６】
表示周期決定ユニット４２０は、入力画像の種類に基づいて表示周期を決定することができる。例えば、表示周期決定ユニット４２０は入力画像が動画像の場合、表示周期を第１表示周期（Ｔ１）（例えば、１／６０秒）として決定し、入力画像が停止画像の場合、表示周期を第２表示周期（Ｔ２）（例えば、３秒）として決定することができる。例えば、表示周期決定ユニット４２０は、入力画像が特殊画像（時計画像）の場合、表示周期を第３表示周期（例えば、１秒）として決定することができる。入力画像の種類に対応する表示周期の値は予め設定できる。例えば、表示周期の値は図３ｃを参照して説明した刺激（即ち、ユーザの刺激）に基づいて設定できる。
【００７７】
一実施形態において、表示周期決定ユニット４２０は外部から提供される選択信号に基づいて表示周期を決定することができる。例えば、表示周期決定ユニット４２０はユーザにより選択された第４表示周期を受信する場合、表示周期を第４表示周期として決定することができる。即ち、表示周期決定ユニット４２０は画像分析ユニット４１０の分析結果に独立的に、表示周期を決定することができる。
【００７８】
一実施形態において、表示周期決定ユニット４２０は表示周期を走査駆動部１２０及びデータ駆動部１３０に提供することができる。即ち、タイミング制御部１５０は走査駆動制御信号及びデータ駆動制御信号とは別個に、表示周期を走査駆動部１２０及びデータ駆動部１３０に提供することができる。この場合、走査駆動部１２０及びデータ駆動部１３０は表示周期に基づいて動作することができる。
【００７９】
一実施形態において、表示周期決定ユニット４２０は表示周期が複数のフレーム時間を含む場合、マスク信号を生成して走査駆動部１２０及びデータ駆動部１３０に提供することができる。ここで、マスク信号は複数のフレーム時間のうち、１フレーム時間の間論理ローレベルを有し、複数のフレーム時間のうち、残りのフレーム時間の間論理ハイレベルを有することができる。この場合、走査駆動部１２０はマスク信号に基づいて１フレーム時間の間走査信号を画素１１１に提供し、残りのフレーム時間の間走査信号の供給を中断することができる。即ち、１フレーム時間の間の走査信号のみ有効に画素１１１に供給され、残りのフレーム時間の間の走査信号は遮断（または、ブロッキング）できる。類似するように、データ駆動部１３０はマスク信号に基づいて１フレーム時間の間データ信号を画素１１１に提供し、残りのフレーム時間の間データ信号の供給を中断することができる。
【００８０】
制御信号生成ユニット４３０は表示周期に基づいて電源制御信号及び／又は発光駆動制御信号を生成することができる。
【００８１】
一実施形態において、制御信号生成ユニット４３０は予め設定された輝度プロファイルを用いて電源制御信号を生成することができる。ここで、電源プロファイルは表示周期の間の時間経過に従う輝度の変化情報を含み、別途のメモリに予め格納できる。
【００８２】
図５は、図１の表示装置で生成される信号の一例を示す図である。
【００８３】
図１及び図５を参照すると、第３波形も５１１は第２モードで画素１１１に提供される走査信号を示すことができる。先の図３ｂを参照して説明したように、第２モードで表示装置１００は第２表示周期（Ｔ２）（例えば、１秒）を有して動作することができる。
【００８４】
第３波形図５１１は、図３ｂに図示された第２波形図３１１と実質的に同一でありうる。したがって、重複する説明は省略する。
【００８５】
第４波形図５１２は、給電部１６０で生成される電源電圧を示すことができる。例えば、第４波形図５１２は高電源電圧（ＥＬＶＤＤ）を示すことができる。例えば、第４波形図５１２は低電源電圧（ＥＬＶＳＳ）を示すことができる。給電部１６０は第２表示周期（Ｔ２）の間徐々に増加する電源電圧を生成することができる。
【００８６】
図５に示すように、第２表示周期（Ｔ２）は複数の区間（Ｐ１からＰ６）を含むことができる。第２表示周期（Ｔ２）は特定電圧差に基づいて複数の区間（Ｐ１からＰ６）に区分できる。例えば、第１区間（Ｐ１）と第２区間（Ｐ１）は第１電圧差を有し、第２区間（Ｐ２）と第３区間（Ｐ３）は第１電圧差を有することができる。即ち、電源電圧は特定電圧差を有して段階的に変わることができる。
【００８７】
第５波形図５１３は、発光制御部１４０で生成される発光制御信号を示すことができる。即ち、第５波形図５１３は画素１１１のオフデューティー比の変化を示すことができる。発光制御部１４０は第２表示周期（Ｔ２）の間徐々に減少するオフデューティー比を含む発光制御信号を生成することができる。第４波形図５１２と類似するように、第５波形図５１３は特定割合を有して段階的に変わることができる。
【００８８】
即ち、表示装置１００は第２表示周期（Ｔ２）の間輝度の降下に対応して電源制御信号及び発光駆動制御信号を生成することができ、給電部１６０は電源制御信号に基づいて第２表示周期（Ｔ２）の間可変である電源電圧を生成し、発光駆動部１４０は発光駆動制御信号に基づいて第２表示周期（Ｔ２）の間可変である発光制御信号を生成することができる。
【００８９】
この場合、図５に示すように、表示装置１００の測定輝度５２１は第２輝度３２２（即ち、電源電圧を変化及びオフデューティー比を変化させることができない表示装置１００の測定輝度）の輝度降下より小さな輝度降下を示すことができる。即ち、表示装置１００は輝度降下を補償するので、輝度降下が視認される問題点と、反復的な輝度の上昇及び降下によるフリッカー現象が視認される問題点を和らげることができる。
【００９０】
図６ａは図４のタイミング制御部で使用する輝度プロファイルの一例を示す図であり、図６ｂは図４のタイミング制御部で生成される電源電圧制御信号の一例を示す図である。
【００９１】
図４、図６ａ、及び図６ｂを参照すると、タイミング制御部１５０は複数の輝度プロファイル６１１から６１４を含むことができる。例えば、タイミング制御部１５０は２ビット（即ち、４個）の輝度プロファイル６１１から６１４を含むことができる。輝度プロファイル６１１から６１４の各々は互いに異なる輝度変化を示すことができる。
【００９２】
一実施形態において、輝度プロファイルは表示周期別に設定できる。例えば、第１輝度プロファイルは第１周期（Ｔ１）（例えば、３秒）に対応し、第２輝度プロファイルは第２周期（Ｔ２）（例えば、１秒）に対応することができる。この場合、タイミング制御部１５０は表示周期に基づいて複数の輝度プロファイル６１１から６１４のうちから１つを選択し、複数の輝度プロファイル６１１から６１４のうちから選択された１つに基づいて電源制御信号（及び／又は発光駆動制御信号）を生成することができる。
【００９３】
一実施形態において、輝度プロファイルは画素１１１に含まれたサブ画素別に設定できる。例えば、第１輝度プロファイルは第１色（例えば、赤色）で発光する第１サブ画素の輝度変化を示すことができる。例えば、第２輝度プロファイルは第２色（例えば、緑色）で発光する第２サブ画素の輝度変化を示すことができる。第３輝度プロファイルは第３色（例えば、青色）で発光する第３サブ画素の輝度変化を示すことができる。第４輝度プロファイルは第４色（例えば、白色）で発光する第４サブ画素の輝度変化を示すことができる。ここで、第１から第４サブ画素は画素１１１に含まれることができる。この場合、タイミング制御部１５０はサブ画素別に電源制御信号（例えば、第１から第３電源制御信号）を生成することができる。
【００９４】
一方、給電部１６０は電源制御信号に基づいて電源電圧を生成及び変更することができる。図６ｂに図示された電源電圧の第１波形６２１は図６ａに図示された第１輝度プロファイル６１１に対応できる。類似するように、図６ｂに図示された電源電圧の第２から第４波形６２２から６２４は、各々図６ａの第２から第４輝度プロファイル６２２から６２４に対応できる。
【００９５】
図７は、図１の表示装置に含まれた給電部で生成される電源電圧の一例を示す図である。
【００９６】
図７を参照すると、給電部１６０は画素１１１に含まれたサブ画素別に電源電圧を生成することができる。第１電源電圧７３１は第１色（例えば、赤色）で発光する第１サブ画素（または、第１サブ画素）に供給される電源電圧であり、第２電源電圧７３２は第１色（例えば、緑色）で発光する第２サブ画素（または、第２サブ画素）に供給される電源電圧であり、第３電源電圧７３３は第３色（例えば、赤色）で発光する第３サブ画素（または、サブ第３画素）に供給される電源電圧である。
【００９７】
サブ画素のそれぞれの有機材料の効率は相異するので、サブ画素の各々に印加されるデータ信号（または、データ電圧）は相異し、サブ画素のそれぞれの（駆動トランジスタの）しきい電圧の移動度も相異するように表れることができる。したがって、サブ画素により表現される色座標が変わることがある。本発明の実施形態に係る表示装置１００は、サブ画素別に電源電圧を相異するように変化させることができることによって、色座標の変化を補償することができる。
【００９８】
図６ａ、図６ｂ、及び図７を参照して説明したように、本発明の実施形態に係る表示装置１００は予め設定された輝度プロファイルを含み、表示周期に対応する輝度プロファイルに基づいて電源電圧を変化させることができる。類似するように、表示装置１００は予め設定されたオフデューティー比プロファイルを含み、表示周期に対応する表示周期に対応するオフデューティー比プロファイルに基づいてオフデューティー比を変化させることができる。
【００９９】
図８は本発明の実施形態に係る表示装置を示すブロック図であり、図９は図８の表示装置に含まれた駆動回路部の一例を示す図である。
【０１００】
図８を参照すると、表示装置８００は、表示パネル８１０、駆動回路部８２０、タイミング制御部８５０、及び給電部８６０を含むことができる。表示パネル８１０、タイミング制御部８５０、及び給電部８６０は、図１を参照して説明した表示パネル１１０、タイミング制御部１５０、及び給電部１６０と各々実質的に同一でありうる。したがって、重複する説明は省略する。
【０１０１】
駆動回路部８２０は、走査駆動ユニット８２２、データ駆動ユニット８２３、発光駆動ユニット８２４、及びチャージポンプユニット８２５を含むことができる。ここで、走査駆動ユニット８２２、データ駆動ユニット８２３、及び発光駆動ユニット８２４は、図１を参照して説明した走査駆動部１２０、データ駆動部１３０、及び発光駆動部８４０と各々実質的に同一でありうる。
【０１０２】
チャージポンプユニット８２５は、外部から供給される外部電圧に基づいて駆動回路部８２０を駆動する駆動電圧を生成し、第２電源制御信号に応答して時間経過に従って変化することができる補助電源電圧を生成することができる。ここで、第２電源制御信号はタイミング制御部８５０で生成できる。
【０１０３】
一実施形態において、駆動回路部８２０はスイッチ制御信号に基づいて前記給電部及び前記チャージポンプユニットのうちの１つを前記電源線に連結する電源選択ユニット８２６を含むことができる。
【０１０４】
図９に示すように、駆動回路部８２０は電源選択ユニット８２６を含むことができる。電源選択ユニット８２６は、第１電源線と給電部８６０を連結する第１スイッチ（ＳＷ１）及び第１電源線とチャージポンプユニット８２５とを連結する第２スイッチ（ＳＷ２）を含むことができる。ここで、第１電源線は高電源電圧（ＥＬＶＤＤ）を転送することができる。電源選択ユニット８２６は、第２電源線と給電部８６０を連結する第３スイッチ（ＳＷ３）、及び第２電源線とチャージポンプユニット８２５を連結する第４スイッチ（ＳＷ４）を含むことができる。ここで、第２電源線は低電源電圧（ＥＬＶＳＳ）を転送することができる。
【０１０５】
第１スイッチ制御信号に応答して第１スイッチ（ＳＷ１）はターンオフされ、 第２スイッチ（ＳＷ２）はターンオフできる。ここで、第１スイッチ制御信号はタイミング制御部８２０で生成できる。例えば、表示装置８００が入力画像は停止画像であると判断した場合、タイミング制御部８２０は第１スイッチ制御信号を生成することができる。
【０１０６】
即ち、駆動回路部８２０は給電部８６０で生成される電源電圧及び駆動回路部８２０で生成される補助電源電圧のうちの１つを選択し、電源電圧及び補助電源電圧のうち、選択された１つを表示パネル８１０に提供することができる。
【０１０７】
図９で、第１スイッチ（ＳＷ１）及び第２スイッチ（ＳＷ２）は別に配置され、駆動回路部８２０に備えられるものとして図示されているが、第１スイッチ（ＳＷ１）及び第２スイッチ（ＳＷ２）はこれに限定されるものではない。例えば、第１スイッチ（ＳＷ１）及び第２スイッチ（ＳＷ２）は１つのスイッチで具現され、スイッチ制御信号に応答して第１電源線を給電部８６０または駆動回路部８２０に連結することができる。例えば、第１スイッチ（ＳＷ１）及び第２スイッチ（ＳＷ２）は表示パネル８１０内に配置できる。
【０１０８】
駆動回路部８２０のデータ信号を出力するための消比電力は駆動回路部８２０の全体消比電力の多く（例えば、８０％以上）を占める。表示装置８００が大きい表示周期（または、超低周波数（例えば、１Ｈｚ））を有して駆動する場合、データ信号の出力頻度が減少し、全体消比電力が減少できる。したがって、表示装置８００は駆動回路部８２０を用いて表示パネル８１０に電源電圧（または、補助電源電圧）を供給することができる。この場合、表示装置８００は駆動回路部８２０に備えられた電源電圧可変構成を、外部に配置される給電部８６０の電源電圧可変構成より容易に制御することができる。また、給電部８６０の動作を最小化することができるので、表示装置８００の消比電力をより低減させることができる。
【０１０９】
前述したように、本発明の実施形態に係る表示装置８００は給電部１６０で生成される電源電圧と区別される補助電源電圧を生成し、表示周期に基づいて電源電圧及び補助電源電圧のうち、選択された１つを表示パネル８１０に供給することができる。表示装置８００は駆動回路部８２０を通じて補助電源電圧を生成するので、別途に備えられた給電部８６０から生成される電源電圧より補助電源電圧を容易に制御（可変）し、消比電力をより低減することができる。
【０１１０】
以上、本発明の実施形態に係る表示装置について図面を参照して説明したが、前記説明は例示的なものであって、本発明の技術的思想を逸脱しない範囲で該当技術分野で通常の知識を有する者により修正及び変更可能である。
【符号の説明】
【０１１１】
１００  表示装置
１１１  画素
１２０  走査駆動部
１３０  データ駆動部
１４０  発光駆動部
１５０  タイミング制御部
１６０  給電部
１７０  電流測定部
２２１  第１曲線
２２２  第２曲線
３１１  第１波形図
３１２  第１輝度
３２１  第２波形図
３２２  第２輝度
４１０  画像分析ユニット
４２０  表示周期決定ユニット
４３０  制御信号生成ユニット
５１１  第３波形図
５１２  第４波形図
５１３  第５波形図
５２１  測定輝度
６１１〜６１４  第１から第４輝度プロファイル
６２１〜６２４  第１から第４波形
７３１〜７３３  第１から第３電源電圧
８００  表示装置
８１０  表示パネル
８２０  駆動回路部
８２２  走査駆動ユニット
８２３  データ駆動ユニット
８２４  発光駆動ユニット
８２５  チャージポンプユニット
８２６  電源選択ユニット
８５０  タイミング制御部
８６０  給電部
【図１】
2017083813.tif 000003
【図２ａ】
2017083813.tif 000004
【図２ｂ】
2017083813.tif 000005
【図３ａ】
2017083813.tif 000006
【図３ｂ】
2017083813.tif 000007
【図３ｃ】
2017083813.tif 000008
【図４】
2017083813.tif 000009
【図５】
2017083813.tif 000010
【図６ａ】
2017083813.tif 000011
【図６ｂ】
2017083813.tif 000012
【図７】
2017083813.tif 000013
【図８】
2017083813.tif 000014
【図９】
2017083813.tif 000015